(57)【要約】      （修正有）【課題】不使用時に粘着ローラーを覆うカバーを有する粘着式ローラークリーナーにおいて、カバーの開放時に該カバーが落下するのを防止することができる粘着式ローラークリーナーを提供する。【解決手段】粘着式ローラークリーナーＡは、そのカバー２が、粘着ローラー１１を回動軸の軸方向ｍを横断する両方向から突き合わせて開閉可能に収納する一対の略半円筒状の被覆片２１、２１と、粘着ローラー１１の上方において一対の略半円筒状の被覆片２１、２１どうしを連結する連結体２２とを有するものである。【選択図】図１
0003168822.tif 000002
【実用新案登録請求の範囲】
【請求項１】
外周面に粘着シートを巻回した粘着ローラーと、
一端部が前記粘着ローラーの回動軸をなし、他端部が手で把持するグリップ部であるアームと、
前記粘着ローラーを収納するカバーとを備え、
前記カバーは、前記粘着ローラーを、前記回動軸の軸方向を横断する両方向から突き合わせて開閉可能に収納する一対の略半円筒状の被覆片と、前記粘着ローラーの上方において前記一対の略半円筒状の被覆片どうしを連結する連結体とを有することを特徴とする粘着式ローラークリーナー。
【請求項２】
アームは、中途が前記粘着ローラーの外側において回動軸に平行になるように略コ字状に折り返されていると共に、前記粘着ローラー外周面の略中央部に臨む位置において前記回動軸に垂直かつ該回動軸から離間する方向に延設され、この延設された端部がグリップ部であり、  
各被覆片の連結体と同じ側の部位には、カバーを閉じたときに前記アームの中途を挟持する孔を形成する半割孔が設けられ、前記被覆片の前記連結体と反対側の部位は平面形状であることを特徴とする請求項１記載の粘着式ローラークリーナー。
【請求項３】
グリップ部には、ストラップが取り付けられていることを特徴とする請求項１または２記載の粘着式ローラークリーナー。
【請求項４】
携帯可能なミニチュアであることを特徴とする請求項１〜３の何れか１項記載の粘着式ローラークリーナー。
【考案の詳細な説明】
【技術分野】
【０００１】
本考案は、粘着シートに、塵や埃、毛髪などのゴミを粘着させて清掃する粘着式ローラークリーナーに係り、特に、該粘着式ローラークリーナーのカバーは、粘着ローラーを、回動軸の軸方向を横断する両方向から突き合わせて開閉可能に収納する一対の略半円筒状の被覆片と、粘着ローラーの上方において一対の略半円筒状の被覆片どうしを連結する連結体とを有するものに関する。
【背景技術】
【０００２】
従来、塵や埃、毛髪などのゴミを粘着シートに粘着させて清掃する粘着式ローラークリーナーにあっては、不使用時に、粘着シートが誤って衣服等に貼り付かないように、粘着ローラーをカバーで覆うものが知られている。
【０００３】
その一例として、例えば、特許文献１の図１、図３に図示されているような、略半円筒状の一対の被覆片どうしを、粘着ローラーの下方において、ヒンジなどの連結体で連結する粘着式ローラークリーナーが挙げられる。
【先行技術文献】
【特許文献】
【０００４】
【特許文献１】特開２００３−２６５４０１号公報
【考案の概要】
【考案が解決しようとする課題】
【０００５】
しかしながら、上述したような粘着式ローラークリーナーにあっては、連結体は粘着ローラーの下方に位置するものであり、使用時において、カバーの上部を開いて取り外そうとすると、該カバーが不意に落下する危険性があり、取り扱いには注意を要するもので、必ずしも使い勝手が良いとは言い難いものであった。
【０００６】
本考案は、上述した問題点を解決するためになされたものである。
【課題を解決するための手段】
【０００７】
請求項１に係る考案は、外周面に粘着シートを巻回した粘着ローラーと、一端部が前記粘着ローラーの回動軸をなし、他端部が手で把持するグリップ部であるアームと、前記粘着ローラーを収納するカバーとを備え、前記カバーは、前記粘着ローラーを、前記回動軸の軸方向を横断する両方向から突き合わせて開閉可能に収納する一対の略半円筒状の被覆片と、前記粘着ローラーの上方において前記一対の略半円筒状の被覆片どうしを連結する連結体とを有する粘着式ローラークリーナーである。
【０００８】
請求項２に係る考案は、請求項１記載の粘着式ローラークリーナーにおいて、アームは、中途が前記粘着ローラーの外側において回動軸に平行になるように略コ字状に折り返されていると共に、前記粘着ローラー外周面の略中央部に臨む位置において前記回動軸に垂直かつ該回動軸から離間する方向に延設され、この延設された端部がグリップ部であり、各被覆片の連結体と同じ側の部位には、カバーを閉じたときに前記アームの中途を挟持する孔を形成する半割孔が設けられ、前記被覆片の前記連結体と反対側の部位は平面形状であるものである。
【０００９】
請求項３に係る考案は、請求項１または２記載の粘着式ローラークリーナーにおいて、グリップ部には、ストラップが取り付けられているものである。
【００１０】
請求項４に係る考案は、請求項１〜３記載の粘着式ローラークリーナーにおいて、携帯可能なミニチュアであるものである。
【考案の効果】
【００１１】
請求項１記載の粘着式ローラークリーナーによれば、カバーは、粘着ローラーを、回動軸の軸方向を横断する両方向から突き合わせて開閉可能に収納する一対の略半円筒状の被覆片と、前記粘着ローラーの上方において前記一対の略半円筒状の被覆片どうしを連結する連結体とを有するため、使用時において、カバーを開いたとき、該カバーが落下するのを確実に防止することができる。
【００１２】
請求項２記載の考案によれば、請求項１記載の粘着式ローラークリーナーの効果に加え、アームは、中途が粘着ローラーの外側において回動軸に平行になるように略コ字状に折り返されていると共に、前記粘着ローラー外周面の略中央部に臨む位置において前記回動軸に垂直かつ該回動軸から離間する方向に延設され、この延設された端部がグリップ部であり、各被覆片の連結体と同じ側の部位には、カバーを閉じたときに前記アームの中途を挟持する孔を形成する半割孔が設けられ、前記被覆片の前記連結体と反対側の部位は平面形状であるため、不使用持において、カバーの装着によりアームを載置面に対して直立した状態で保管することができ、過大な収納スペースをとらず、使い勝手がよい。
【００１３】
請求項３記載の考案によれば、請求項１または２記載の粘着式ローラークリーナーの効果に加え、グリップ部には、ストラップが取り付けられているため、不使用時にあっては容易に吊り下げることができ、使い勝手が良い。
【００１４】
請求項４記載の考案によれば、請求項１〜３記載の粘着式ローラークリーナーの効果に加え、携帯可能なミニチュアであるため、容易に携帯することができると共に、アクセサリーとしての趣を兼備することができる。
【図面の簡単な説明】
【００１５】
【図１】本考案に係る粘着式ローラークリーナーの一実施例を示した概略的斜視図である。
【図２】図１の概略的断面図であり、図２（ａ）は図１のＸ１−Ｘ１線で切断したものを、図２（ｂ）は図１のＹ１−Ｙ１線で切断したものをそれぞれ示している。
【図３】図１のクリーナー本体の概略図であり、図３（ａ）は一部を破断して示した正面図を、図３（ｂ）は側面図をそれぞれ示している。
【図４】図１のカバーの概略的斜視図である。
【図５】図４の概略的断面図であり、図５（ａ）は図４のＸ２−Ｘ２線で切断したものを、図５（ｂ）は図４のＹ２−Ｙ２線で切断したものをそれぞれ示している。
【図６】図４の他の状態を示した概略的斜視図である。
【図７】図３のクリーナー本体の使用状態を示した概略図である。
【図８】図１のクリーナー本体の収納方法を示した概略的斜視図である。
【図９】図１の粘着式ローラークリーナーの変形例を示した概略的斜視図である。
【考案を実施するための形態】
【００１６】
本考案の一実施例を、図１〜図６を参照して説明する。図１、図２（ａ）、（ｂ）において、Ａは、粘着式ローラークリーナーであり、粘着式ローラークリーナーＡは、塵や埃、毛髪などのゴミを粘着して清掃するもので、概略的に、クリーナー本体１とカバー２とにより構成されている。
【００１７】
これらの内、クリーナー本体１は、図３（ａ）、（ｂ）に示したように、粘着ローラー１１とアーム１２とを備えている。
【００１８】
粘着ローラー１１は、同図に示したように、ローラー１１１の外周面に粘着シート１１２が巻回されているもので、ローラー１１１の中心軸には、後記するアーム１２の回動軸１２１を挿通する軸孔１１１ａが穿設されている。なお、粘着シート１１２は、粘着性を有するものであれば公知のいずれのものを用いることができる。この粘着シート１１２の巻回は、１層でもよいが、ミシン目などを付けた切離可能なシートを多重に積層して巻回し、使用の都度、最外層のシートから順に剥せるようにしてもよい。
【００１９】
アーム１２は、一端部１２ａが前述した軸孔１１１ａに挿通されて粘着ローラー１１の回動軸１２１をなし、他端部１２ｂが手で把持するグリップ部１２２となるもので、回動軸１２１およびグリップ部１２２を有するものであれば、特にその形態は限定されないが、好ましくは、図３（ａ）に示したように、中途が粘着ローラー１１の外側において回動軸１２１に略平行になるように略コ字状に折り返されていると共に、粘着ローラー１１外周面の略中央部に臨む位置において回動軸１２１に垂直かつ該回動軸１２１から離間する方向に延設するもの（このアーム１２の構成を「特定アーム形態」と称す）がよい。
【００２０】
また、アーム１２は、一端部１２ａから他端部１２ｂに亘って一体物として形成してもよいが、複数個の部材を繋ぎ合わせてもよく、例えば、図３（ａ）、（ｂ）に示したように、グリップ部１２２を別体として形成するようにしてもよい。
【００２１】
カバー２は、粘着ローラー１１の不使用時において、該粘着ローラー１１を収納するもので、回動軸１２１の軸方向ｍを横断する両方向から突き合わせて粘着ローラー１１を開閉可能に収納する一対の略半円筒状の被覆片２１、２１（図４参照）と、粘着ローラー１１の上方において一対の略半円筒状の被覆片２１、２１どうしを連結する連結体２２（図４参照）とを有する。
【００２２】
被覆片２１は、粘着ローラー１１の収納時において、可及的に不要な粘着を防ぐため、該粘着ローラー１１全体を覆うことができるように、図４に示したように、被覆片２１における回動軸１２１の軸方向ｍの両端部２１ａ、２１ａをも被覆してあるのが好ましい。
【００２３】
この被覆片２１の内側には、図５（ａ）、（ｂ）に示したように、粘着ローラー１１をカバー２内に収納して閉じたとき、粘着ローラー１１の外周面（粘着シート１１２の外表面、同図において仮想線で図示）に当接して保持できるように、粘着ローラー１１の外形に見合う大きさであって、回動軸１２１の軸方向ｍと垂直な方向に沿って薄板状のリブ２１ｂを形成するようにしてもよい。
【００２４】
また、図５（ｂ）に示したように、カバー２を閉じたとき、一対の被覆片２１、２１どうしを留め置けるように、カバー２の連結体２２と反対側の部位に係止部２１ｃを設け、例えば、該一対の被覆片２１、２１の内、一方には係止爪を、他方にはこの係止爪を係止可能な被係止部を設けるようにしてもよい。
【００２５】
連結体２２は、図４、図６に示したように、一対の被覆片２１、２１を開閉可能に連結するもので、例えば、ヒンジ機構であり、該一対の被覆片２１、２１どうしが当接する部位の内、カバー２上端部における一部または全部に設けることができる（図４、図６は、一部（２箇所）に設けたものを例示）。この連結体２２と一対の被覆片２１、２１とは、一体または別体のどちらであってもよい。
【００２６】
次に、上述した実施例のように構成される粘着式ローラークリーナーＡの使用方法について説明する。
【００２７】
図７は、クリーナー本体１の使用状態を図示したもので、グリップ部１２２を手で把持し、被清掃物ｂ上に粘着ローラー１１を押し当て、該粘着ローラー１１を被清掃物ｂの表面に沿って回動させながら粘着シート１１２により被清掃物ｂ上に存する塵や埃、毛髪などのゴミを粘着させて除去し、清掃を行う。
【００２８】
図８は、未使用時におけるクリーナー本体１のカバー２への収納方法を図示したもので、一対の被覆片２１、２１を、連結体２２を中心にして開いた後、これを粘着ローラー１１の上方に配置し、その後、一対の被覆片２１、２１どうしを突き合わせ、内部に粘着ローラー１１を収納した状態で閉じ合わせる。
【００２９】
ところで、前述した特定アーム形態を有する粘着式ローラークリーナーＡにあっては、図４〜図６等に示したように、各被覆片２１の連結体２２と同じ側の部位には、カバー２を閉じたときにアーム１２の中途を挟持する孔２３（図４参照）を形成する半割孔２３ａ（図６参照）を設け、被覆片２１の連結体２２と反対側の部位は平面形状（図４、図５（ａ）、（ｂ）参照）となるようにしてもよい。
【００３０】
かかる粘着式ローラークリーナーＡにあっては、図１に示したように、カバー２を閉じたとき、アーム１２の中途を、一対の被覆片２１、２１の半割孔２３ａ、２３ａで形成される孔２３により挟持してクリーナー本体１とカバー２とが一体的に固定され、かつ、被覆片２１の連結体２２と反対側の部位が平面形状であるため、このカバー２の装着によりアーム１２を載置面に対して直立した状態で保管することができ、過大な収納スペースをとらず、使い勝手がよい。
【００３１】
また、図９に示したように、粘着式ローラークリーナーＡのグリップ部１２２には、ボールチェーンなどのストラップ１３を取り付けてもよく、例えば、グリップ部１２２に形成されたストラップ孔１２２ａに取付リング１３ａを装着し、この取付リング１３ａを介して環状のストラップ１３を取り付けるようにしてもよい。
【００３２】
また、上述した何れの形態の粘着式ローラークリーナーＡであっても、携帯可能なミニチュア（小型の粘着式ローラークリーナーであって、上述したものと同様に、塵や埃、毛髪などのゴミを粘着して清掃する作用効果を有するもの）とすることができ、アクセサリーとしての趣を兼備することができる。
【符号の説明】
【００３３】
Ａ        粘着式ローラークリーナー
１        クリーナー本体
１１      粘着ローラー
１２      アーム
１２１    回動軸
１２２    グリップ部
１３      ストラップ
２        カバー
２１      被覆片
２２      連結体
【図１】
0003168822.tif 000003
【図２】
0003168822.tif 000004
【図３】
0003168822.tif 000005
【図４】
0003168822.tif 000006
【図５】
0003168822.tif 000007
【図６】
0003168822.tif 000008
【図７】
0003168822.tif 000009
【図８】
0003168822.tif 000010
【図９】
0003168822.tif 000011